(57)【要約】【課題】  簡便な方法で、クッキー情報等の固有情報に基づいて利用者の個人情報が漏洩するのを抑制しつつも、その固有情報の有効利用を図ることである。【解決手段】  携帯電話機のユーザーがそのテンキー等を用いてブラウザを閉じる操作を行うと、その操作内容に従って、ブラウザを終了するとともに、ブラウザ実行中にＲＡＭに記憶したクッキー情報を削除する。よって、ブラウザが終了した後は、ＲＡＭ内にクッキー情報が残ることはない。したがって、次にブラウザ起動して以前閲覧したＷｅｂサイトにアクセスする際に最初に送信するＨＴＴＰリクエストには、クッキー情報が含まれない。よって、そのクッキー情報から個人情報が漏洩するのを防止できるとともに、ブラウザ実行中はクッキー情報を記憶してこれを利用したサービス等を受けることができる。【選択図】  図１
2005099901.tif 000002
【特許請求の範囲】
【請求項１】
表示手段と、
利用者によって操作される操作手段と、
通信ネットワークを介して、サーバ装置へ閲覧要求を送信し、該閲覧要求に対応する閲覧画面情報を該サーバ装置から受信することで、該閲覧要求に係る閲覧画面を該表示手段に表示させる閲覧プログラムを実行する閲覧実行手段と、
該サーバ装置から該閲覧画面情報とともに送信されてくる、該閲覧要求の送信元に固有の固有情報を記憶する記憶手段とを有し、
該閲覧実行手段は、該閲覧プログラムを実行して閲覧要求を送信するとき、該記憶手段に該固有情報が記憶されている場合には、該閲覧要求に該固有情報を付加して送信する移動体通信端末であって、
上記閲覧プログラムの終了時から該閲覧プログラムが次に実行される時までに、上記固有情報を上記記憶手段から削除する削除動作を行う削除手段を有することを特徴とする移動体通信端末。
【請求項２】
請求項１の移動体通信端末において、
上記削除手段は、上記閲覧プログラムの終了時に上記固有情報の削除動作を行うことを特徴とする移動体通信端末。
【請求項３】
請求項１又は２の移動体通信端末において、
上記操作手段に対する利用者の操作内容に基づき、上記削除手段による削除動作を有効にするか又は無効にするかを選択する選択手段と、
該選択手段により選択された選択状態に応じて、該削除手段の動作を制御する動作制御手段とを有し、
初期状態における該選択手段の選択状態は、該削除動作を有効にするように設定されていることを特徴とする移動体通信端末。
【発明の詳細な説明】
【技術分野】
【０００１】
本発明は、通信ネットワークを介してＷｅｂサイト等の閲覧画面を閲覧可能な携帯電話機等の移動体通信端末に関するものである。
【背景技術】
【０００２】
この種の移動体通信端末としては、通信ネットワーク上に公開されているＷｅｂサイトを閲覧可能な携帯電話機が知られている（例えば特許文献１）。このような携帯電話機は、Ｗｅｂサイトを閲覧するための閲覧プログラム（ブラウザ）を実行することにより、所望のＷｅｂサイトを閲覧することができる。Ｗｅｂサイトを閲覧する場合には、一般に、ＨＴＴＰ（HyperText Transfer Protocol）を用いて通信が行われる。このＨＴＴＰは、クライアント（移動体通信端末）から送信されるリクエスト（閲覧要求）に対して、Ｗｅｂサーバがレスポンス（閲覧画面情報）を返す動作を繰り返すという単純なプロトコルである。そのため、Ｗｅｂサーバが受信した複数リクエストが同一の移動体通信端末から送信されたものであるかどうかを判断することはできない。よって、電子商取引サイト等で必要となる、Ｗｅｂサーバがクライアントを特定したまま閲覧ページを移管するような処理は、行うことができない。このような処理を実現するには、Ｗｅｂサーバと移動体通信端末との間の連続した閲覧処理を一つのまとまりとして管理するセッション管理が必要となる。従来から、ＨＴＴＰを用いた通信においては、セッション管理を可能とするクッキー（Cookie）という機能が利用されている（例えば特許文献２）。
【０００３】
このクッキーは、次のように利用される。すなわち、移動体通信端末から所望のＷｅｂサイトを閲覧するためのリクエストを送信すると、Ｗｅｂサーバからレスポンスが返される。このレスポンスには、Ｗｅｂサイトが発行するクッキー情報が付加される。このクッキー情報は、リクエストを送信した移動体通信端末に固有のもの（固有情報）である。移動体通信端末は、このレスポンスを受けると、そのクッキー情報を記憶する。その後、このクッキー情報を発行したＷｅｂサイトを閲覧する場合には、ヘッダ部分にクッキー情報を付加したリクエストを送信する。このリクエストを受け取ったＷｅｂサーバは、そのクッキー情報に基づき、様々なセッション管理を行うことが可能となる。例えば、そのクッキー情報からリクエストの送信元である移動体通信端末を特定して、その移動体通信端末独自にカスタマイズされた閲覧画面情報をレスポンスとして返すことができる。また、例えば、そのクッキー情報からリクエストの送信元である移動体通信端末の利用者が過去に行った操作内容を読み出して、その操作内容に応じた処理を行うこともできる。
【０００４】
【特許文献１】特開２００２−１７１２９４号公報
【特許文献２】特開平１１−９８１３４号公報
【発明の開示】
【発明が解決しようとする課題】
【０００５】
このように、クッキーは、ＨＴＴＰを用いた通信において非常に便利な機能である。しかし、そのクッキー情報には、その利用態様によって様々な情報が含まれ、移動体通信端末の利用者の個人情報なども含まれることがある。そのため、クッキー情報から利用者の個人情報が漏洩するのを抑制する仕組みが必要である。
最も簡単な仕組みは、移動体通信端末側に、クッキーを無効にする機能を設けることである。この仕組みでは、移動体通信端末側でクッキーを無効とする設定を行えば、Ｗｅｂサーバからクッキー情報が送られてきても、そのクッキー情報は移動体通信端末に記憶されることはない。よって、移動体通信端末から通信ネットワークを介してクッキー情報が送信されることがなくなるので、利用者の個人情報の漏洩を効果的に抑制することができる。しかし、クッキーを無効に設定したのでは、Ｗｅｂサイトが提供するクッキーを利用したサービスを全く受けることができない。
また、他の仕組みとして、上記特許文献２に開示されているように、クッキーにディジタル署名してこれを暗号化した状態で通信を行うことで、クッキーのデータ構造を隠蔽するという仕組みもある。この仕組みによれば、利用者の個人情報が漏洩するのを抑制しつつも、クッキーを利用することができる。しかし、この仕組みでは、クッキーの暗号化及び復号化に大きな処理能力が必要であり、通常の移動体通信端末にとって負荷が大きすぎるため、もっと簡便な仕組みが望まれる。
【０００６】
本発明は、以上の背景に鑑みなされたものであり、その目的とするところは、クッキー情報等の固有情報を利用したサービスを受けることを可能としつつも、簡便な方法で、その固有情報に基づく利用者の個人情報が漏洩するのを抑制することが可能な移動体通信端末を提供することである。
【課題を解決するための手段】
【０００７】
上記目的を達成するために、請求項１の発明は、表示手段と、利用者によって操作される操作手段と、通信ネットワークを介して、サーバ装置へ閲覧要求を送信し、該閲覧要求に対応する閲覧画面情報を該サーバ装置から受信することで、該閲覧要求に係る閲覧画面を該表示手段に表示させる閲覧プログラムを実行する閲覧実行手段と、該サーバ装置から該閲覧画面情報とともに送信されてくる、該閲覧要求の送信元に固有の固有情報を記憶する記憶手段とを有し、該閲覧実行手段は、該閲覧プログラムを実行して閲覧要求を送信するとき、該記憶手段に該固有情報が記憶されている場合には、該閲覧要求に該固有情報を付加して送信する移動体通信端末であって、上記閲覧プログラムの終了時から該閲覧プログラムが次に実行される時までに、上記固有情報を上記記憶手段から削除する削除動作を行う削除手段を有することを特徴とするものである。
この移動体通信端末は、閲覧プログラムを実行して所望の閲覧画面を閲覧すると、その閲覧画面情報を保有するサーバ装置から送信されてくる固有情報が記憶手段に記憶される。この固有情報は、その閲覧プログラムが実行されている間はそのまま記憶手段に記憶されている。よって、その閲覧プログラムが実行されている間は、その固有情報を送信したサーバ装置と本移動体通信端末との間の通信処理において、その固有情報を利用することができる。そして、その閲覧プログラムを終了すると、遅くとも次に閲覧プログラムが実行されるまでに、その固有情報は記憶手段から削除される。よって、次に閲覧プログラムを実行し、以前に閲覧した閲覧画面を再度閲覧する場合には、サーバ装置に送信される閲覧要求に固有情報が付加されることはない。これにより、閲覧プログラムを実行した後、ある閲覧画面を閲覧するために送信する最初の閲覧要求には、固有情報が含まれない。したがって、閲覧プログラム実行前の過去の固有情報が移動体通信端末から送られることがなくなり、また、固有情報をサーバ装置へ送信する送信回数が減るので、移動体通信端末から送信される固有情報に基づいて個人情報が漏洩する危険性を減らすことができる。
なお、上記固有情報の代表例としては、上述したクッキー情報が挙げられるが、クッキー情報に限られることはない。
【０００８】
また、請求項２の発明は、請求項１の移動体通信端末において、上記削除手段は、上記閲覧プログラムの終了時に上記固有情報の削除動作を行うことを特徴とするものである。
この移動体通信端末は、閲覧プログラムの終了時に固有情報が削除されるので、閲覧プログラムを終了した後は、もう記憶手段には固有情報が存在しない。よって、閲覧プログラムを終了した後の不正な操作又は不正な動作等による個人情報の漏洩の危険性をも減らすことができる。
【０００９】
また、請求項３の発明は、請求項１又は２の移動体通信端末において、上記操作手段に対する利用者の操作内容に基づき、上記削除手段による削除動作を有効にするか又は無効にするかを選択する選択手段と、該選択手段により選択された選択状態に応じて、該削除手段の動作を制御する動作制御手段とを有し、初期状態における該選択手段の選択状態は、該削除動作を有効にするように設定されていることを特徴とするものである。
この移動体通信端末は、その利用者の意志で、上述した固有情報の削除動作の有効、無効を切り替えることができる。これが無効の場合、次に閲覧プログラムを実行した後にも、以前の閲覧プログラム実行時に記憶された固有情報が記憶手段に残っている。この場合、上記削除手段による個人情報漏洩の抑制効果は得られないが、以前の閲覧プログラム実行時に記憶された固有情報を利用して、サーバ装置と本移動体通信端末との間の通信処理を行うことができるという利点が生まれる。
ここで、初期状態において削除動作が無効に設定されていると、利用者がこの設定を有効に変更しない限り、上記削除手段による個人情報漏洩の抑制効果は得られないままである。利用者の中には、この設定の変更方法を知らないまま移動体通信端末を使用し続ける者も多い。このような利用者の場合、初期状態における設定が無効となっていると、自分が知らない間に個人情報が漏洩してしまう可能性が高く、個人情報の保護に欠ける結果となる。そこで、本移動体通信端末では、初期状態における削除動作の設定を有効としている。これにより、設定の変更方法を知らない利用者であっても、上記削除手段による個人情報漏洩の抑制効果を与えることができ、その個人情報を保護することができる。
【発明の効果】
【００１０】
以上、請求項１乃至３の発明によれば、閲覧プログラムの実行中は固有情報を利用したサービスを受けることが可能であり、かつ、遅くとも次に閲覧プログラムを実行するまでに記憶手段から固有情報を削除するという簡便な方法によって、その固有情報に基づく利用者の個人情報の漏洩を抑制することが可能となるという優れた効果がある。
特に、請求項２の発明によれば、固有情報に基づく個人情報の漏洩の危険性を更に減らすことができるという優れた効果がある。
また、請求項３の発明によれば、設定の変更方法を知らない利用者の個人情報の漏洩についても確実に抑制することができるので、広く利用者の個人情報の漏洩を抑制することが可能となるという優れた効果がある。
【発明を実施するための最良の形態】
【００１１】
以下、本発明の一実施形態を図面を参照しながら説明する。
図２は、本実施形態に係る移動体通信端末としての携帯電話機２０を用いて、Ｗｅｂサイトを閲覧するための移動体通信システム全体の構成を説明するための説明図である。
この移動体通信システムにおいて、ユーザー１が使用する携帯電話機２０は、通信ネットワークである携帯電話通信網１０に接続されているＷｅｂサーバ１１との間でデータ通信を行うことができる。Ｗｅｂサーバ１１と携帯電話機２０との間の通信は、ＨＴＴＰを用いて行われる。なお、本実施形態では、携帯電話通信網１０に接続されているサーバ装置であるＷｅｂサーバ１１との間のデータ通信を例に挙げて説明するが、この携帯電話通信網１０を介してインターネット等に接続されたＷｅｂサーバとの間のデータ通信についても同様である。
【００１２】
図３は、上記Ｗｅｂサーバ１１のハードウェア構成を示す概略構成図である。
このＷｅｂサーバ１１は、システムバス１００、ＣＰＵ１０１、内部記憶装置、外部記憶装置１０４、入力装置１０５及び出力装置１０６を備えている。上記内部記憶装置は、ＲＡＭ１０２やＲＯＭ１０３等で構成されている。上記外部記憶装置は、ハードディスクドライブ（ＨＤＤ）や光ディスクドライブ等で構成されている。上記入力装置１０５は、外部記憶装置１０４、マウスやキーボード等で構成されている。上記出力装置１０６は、ディスプレイやプリンタ等で構成されている。更に、このＷｅｂサーバ１１は、携帯電話通信網１０を介して各ユーザー１の携帯電話機２０と通信するための携帯電話用通信装置１０７を備えている。
上記ＣＰＵ１０１やＲＡＭ１０２等の構成要素は、システムバス１００を介して、互いにデータやプログラムの命令等のやり取りを行っている。このＷｅｂサーバ１１を所定の手順に従って動作させるためのプログラムは、ＲＯＭ１０３や外部記憶装置１０４に記憶されており、必要に応じてＣＰＵ１０１やＲＡＭ１０２上の作業エリアに呼び出されて実行される。また、このＷｅｂサーバ１１には、携帯電話機２０に提供するＷｅｂサイトの閲覧画面情報が外部記憶装置１０４に記憶されている。Ｗｅｂサーバ１１は、携帯電話機２０からの閲覧要求であるリクエストに応じ、ＣＰＵ１０１、ＲＡＭ１０２、携帯電話通信網用通信装置１０７等が協働して、外部記憶装置１０４に記憶されている閲覧画面情報を、携帯電話通信網１０を介して携帯電話機２０にレスポンスとして送信する機能を有している。なお、このＷｅｂサーバ１１は、専用の制御装置として構成してもいいし、汎用のコンピュータシステムを用いて構成してもよい。また、１台のコンピュータで構成してもいいし、複数の機能をそれぞれ受け持つ複数台のコンピュータをネットワークで結んで構成してもよい。
【００１３】
図４は、上記携帯電話機２０の外観を示す正面図であり、図５は、その携帯電話機２０のハードウェア構成を示す概略構成図である。
この携帯電話機２０は、クラムシェル（折り畳み）タイプの携帯電話機であり、システムバス２００、ＣＰＵ２０１、ＲＡＭ２０２やＲＯＭ２０３等からなる内部制御装置、操作手段としての入力装置２０４、出力装置２０５、携帯電話用通信装置２０６を備えている。ＣＰＵ２０１やＲＡＭ２０２等の構成要素は、システムバス２００を介して、互いに各種データや後述のプログラムの命令等のやり取りを行っている。上記ＣＰＵ２０１は、ＲＡＭ２０２、ＲＯＭ２０３、出力装置２０５、携帯電話用通信装置２０６を制御する。ＣＰＵ２０１は、ＲＯＭ２０３に記憶されている閲覧プログラム（ブラウザ）を実行することで、ＬＣＤ２７によってＷｅｂサーバ１１のＷｅｂサイトを閲覧し、入力装置２０４を用いた所定の入力作業を行うことを可能にする。上記入力装置２０４は、データ入力キー（テンキー、＊キー、＃キー）２１、通話開始キー２２、終話キー２３、スクロールキー２４、多機能キー２５、マイク２６等から構成されている。この入力装置２０４を操作することにより、ユーザーは、携帯電話機２０に対してＵＲＬ等のデータを入力してＷｅｂサイトを閲覧したり、電話着信の際に通話の開始及び終了を行ったり、各種設定を変更したりすることができる。上記出力装置２０５は、液晶ディスプレイ（ＬＣＤ）２７、スピーカ２８等から構成されている。上記携帯電話用通信装置２０６は、携帯電話通信網１０を介して他の携帯電話機や上記Ｗｅｂサーバ１１と通信するためのものである。具体的には、携帯電話機通信網１０を介して他の携帯電話機とメールのやり取りを行ったり、携帯電話機通信網１０を介して上記Ｗｅｂサーバ１１が公開しているＷｅｂサイトの閲覧を行ったりするためのものである。
【００１４】
図１は、本実施形態において、Ｗｅｂサーバ１１上のＷｅｂサイトを携帯電話機２０で閲覧するときのシーケンスフロー図である。
携帯電話機２０でＷｅｂサイトを閲覧する場合、まず、ユーザーは、入力装置２０４に対して所定の操作を行い、例えばブラウザを起動して閲覧先のＵＲＬを入力する。そうすると、ブラウザを実行するＣＰＵ２０１は、そのＵＲＬによって特定されるＷｅｂサーバ１１に対してリクエストを送信する。このリクエストを受けたＷｅｂサーバ１１は、そのリクエストの送信元である携帯電話機２０ごとに固有の固有情報であるクッキー情報を生成する。そして、Ｗｅｂサーバ１１は、生成したクッキー情報を、そのリクエストに係るＷｅｂサイトの閲覧画面情報（第１閲覧画面情報）とともにリクエストの送信元である携帯電話機２０に向けて送信する。このレスポンスを受信した携帯電話機２０は、ブラウザを実行するＣＰＵ２０１の制御の下、その第１閲覧画面情報に基づいてＬＣＤ２７上に第１閲覧画面を表示する。また、このレスポンスを受信した携帯電話機２０は、ＣＰＵ２０１によって、そのレスポンスに含まれるクッキー情報を、記憶手段としてのＲＡＭ２０２の所定の記憶エリアに記憶する処理も行う。
【００１５】
ユーザーは、ＬＣＤ２７上に表示された第１閲覧画面を閲覧し、入力装置２０４を操作して、文字列等を入力したり、情報を選択したりすることができる。このようにして入力、選択を行ったら、その入力した文字列等や選択した内容を示す情報がリクエストとともにＷｅｂサーバ１１へ送信される。このリクエストを受けたＷｅｂサーバ１１は、そのリクエストの内容に応じて新しいクッキー情報を生成する。そして、Ｗｅｂサーバ１１は、生成したクッキー情報を、そのリクエストに係るＷｅｂサイトの閲覧画面情報（第２閲覧画面情報）とともに携帯電話機２０に向けて送信する。このレスポンスを受信した携帯電話機２０は、上記と同様に、その第２閲覧画面情報に基づいてＬＣＤ２７上に第２閲覧画面を表示するとともに、そのレスポンスに含まれるクッキー情報をＲＡＭ２０２に記憶する。
【００１６】
上記第２閲覧画面は、第１閲覧画面においてユーザーが入力、選択した情報に加え、クッキー情報に応じても変わってくる。ＨＴＴＰを用いた通信において、このようなセッション管理が可能となるのは、Ｗｅｂサーバ１１がリクエストの送信元をクッキー情報に基づいて特定することが可能となるからである。このようなセッション管理が可能となることで、Ｗｅｂサイトによってサービスを提供しようとするコンテンツプロバイダ等のサービス提供者側は、携帯電話機２０のユーザーに対して様々なサービスを提供することが可能となる。例えば、ショッピングサイト等においてよく見られる「買い物かご」のような機能を利用したサービスを提供することができる。この機能は、ユーザーが複数の商品等を購入する場合に、最後にまとめて購入手続きを行うことを可能になるので、ユーザーの利便性を向上させることが可能となる。また、複数ページ（複数の閲覧画面）にわたってユーザーからアンケートをとるようなサービス等も可能になる。
【００１７】
ここで、上記クッキー情報には、上述したように携帯電話機２０のユーザーの個人情報が含まれ、その漏洩を抑制する仕組みが必要である。
図６は、パーソナルコンピュータ等におけるクッキーを利用した一般的な処理動作を、携帯電話機２０におけるクッキーの処理動作に適用した場合のシーケンスフロー図である。このシーケンスでは、ブラウザを終了した後も、ＲＡＭ２０２内にクッキー情報が残っており、次にブラウザを起動して最初に送信するリクエストには、クッキー情報が含まれることになる。ブラウザを起動して最初に送信するリクエストに含まれるクッキー情報は過去のクッキー情報となるため、これにユーザーの個人情報を含む可能性があり、場合によっては過去に他サイトで入力した個人情報を付加することになり得る可能性がある。また、ブラウザを実行していない間もＲＡＭ２０２内にクッキー情報が記憶されていると、これが何かしらの手段、例えばセキュリティーホール等が悪用されることにより、悪意を持った改変や盗難等がなされる可能性も否定できない。。
【００１８】
そこで、本実施形態では、ユーザーが入力装置２０４を用いてブラウザを閉じる操作を行うと、ＣＰＵ２０１は、その操作内容に従って、ブラウザを終了する処理を行うとともに、ブラウザ実行中にＲＡＭ２０２に記憶したクッキー情報を削除する処理を行う。よって、ブラウザが終了した後は、ＲＡＭ２０２内にクッキー情報が残ることはない。したがって、次にブラウザ起動して上記と同じＷｅｂサイトを閲覧する際に、最初に送信するリクエストには、クッキー情報が含まれることはない。その結果、この最初に送信するリクエストに含まれるクッキー情報に基づいて個人情報が漏洩するのを防止することができる。更に、ブラウザを実行していない間は、ＲＡＭ２０２内にクッキー情報が記憶されていないので、これが改変されることはなく、不正アクセス等による個人情報の漏洩も効果的に防止することができる。
【００１９】
加えて、本実施形態における携帯電話機２０の課金システムは、携帯電話機２０が送信又は受信するデータ量（パケット量）に応じて課金するものである。そのため、図６に示したシーケンスのように、ブラウザ起動後、最初に送信するリクエストに毎回クッキー情報が付加されると、そのクッキー情報のデータ量分だけ余計な課金がなされることになる。これに対し、本実施形態では、ブラウザ起動後、最初に送信するリクエストにはクッキー情報が付加されることはない。したがって、ユーザーの金銭的負担も軽減することができる。しかも、携帯電話通信網１０内のデータ通信量も減る結果、限られた通信リソースを有効利用することもできるという効果も得られる。
【００２０】
また、本実施形態の携帯電話機２０には、クッキー情報の取り扱いに関して、３種類の設定項目が用意されている。１つ目の設定項目は、ブラウザを実行するＣＰＵ２０１がそのブラウザ終了時にＲＡＭ２０２内のクッキー情報を削除する設定（以下、「クッキー一時保存設定」という。）である。２つ目の設定項目は、ブラウザを実行するＣＰＵ２０１がそのブラウザ終了時にＲＡＭ２０２内のクッキー情報を削除しない設定（以下、「クッキー有効設定」という。）である。３つ目の設定項目は、ＣＰＵ２０１がブラウザを実行している間も、ＲＡＭ２０２内にクッキー情報を記憶しない設定（以下、「クッキー無効設定」という。）である。これらの設定は、ユーザーが任意に選択することができる。具体的には、ユーザーが入力装置２０４に対して所定の操作を行うと、その操作内容に基づいて、選択手段としてのＣＰＵ２０１がいずれの設定とするかを選択する。そして、ＣＰＵは、ブラウザ実行中又はブラウザ終了時に、その選択した設定に従い、クッキー情報を取り扱う。
【００２１】
本実施形態では、工場出荷段階に設定される初期状態は、クッキー一時保存設定に設定されている。これは、次の理由による。すなわち、個人情報保護を重視すれば、初期状態はクッキー無効設定であることが望ましい。しかし、上記設定項目は、ユーザーが任意に変更することができるが、その設定項目を変更せずに初期状態のまま使用するユーザーが多い。そのため、初期状態がクッキー無効設定であると、クッキーを利用したＷｅｂサイトを利用するユーザー数が少なくなる。これでは、そのＷｅｂサイトを提供するコンテンツプロバイダ等のサービス業者におけるクッキーを利用したＷｅｂサイトの開発意欲が減退し、ひいてはユーザーに対するサービスの質が低下してしまう。一方、クッキー有効設定を初期状態とすると、その設定項目を変更しない多くのユーザーが、自分が知らない間に、自己の個人情報が漏洩する危険性が高い。これに対し、本実施形態では、初期状態がクッキー一時保存設定であるため、ＣＰＵ２０１がブラウザ実行中はクッキーを利用したサービス等が受けられるとともに、上述したようにクッキー情報に基づく個人情報の漏洩も効果的に抑制される。よって、サービス業者がＷｅｂサイトにおいて提供するサービス等の質の低下を抑制しつつ、上記設定項目を変更せずに初期状態のまま使用する多くのユーザーの個人情報漏洩をも効果的に抑制することができる。
【図面の簡単な説明】
【００２２】
【図１】実施形態に係る携帯電話機２０を用いて、Ｗｅｂサーバ１１上のＷｅｂサイトを閲覧するときのシーケンスフロー図。
【図２】同携帯電話機を用いて、Ｗｅｂサイトを閲覧するための移動体通信システム全体の構成を説明するための説明図。
【図３】同移動体通信システムを構成するＷｅｂサーバのハードウェア構成を示す概略構成図。
【図４】同携帯電話機の外観を示す正面図。
【図５】同携帯電話機のハードウェア構成を示す概略構成図。
【図６】パーソナルコンピュータ等におけるクッキーを利用した一般的な処理動作を、携帯電話機におけるクッキーの処理動作に適用した場合のシーケンスフロー図。
【符号の説明】
【００２３】
１１  Ｗｅｂサーバ
２０  携帯電話機
２７  液晶ディスプレイ
２０１  ＣＰＵ
２０２  ＲＡＭ
２０４  入力装置
２０６  携帯電話用通信装置
【図１】
2005099901.tif 000003
【図２】
2005099901.tif 000004
【図３】
2005099901.tif 000005
【図４】
2005099901.tif 000006
【図５】
2005099901.tif 000007
【図６】
2005099901.tif 000008